(57)【特許請求の範囲】
【請求項１】
本体機器から供給される電源によって動作する低消費電力周辺機器であって、
外部信号を受信する受信部と、
前記本体機器がスリープ状態にあるときに、前記低消費電力周辺機器のすべてまたは一部の機能を間欠動作させ、前記受信部を介して前記外部信号を検出した時には、該受信信号に基づき該本体機器をアクティブ状態に移行させる制御部と、を有し、
前記制御部は、
マイコン部と、
前記受信部を制御するハードウェアロジックと、を有し、
前記マイコン部は、前記本体機器から供給される電流が前記低消費電力周辺機器の動作電流よりも少なくなった場合には、前記受信部と前記ハードウェアロジックの少なくとも一方を一定サイクルで間欠動作させることを特徴とする低消費電力周辺機器。
【請求項２】
前記本体機器から供給される電源は、前記低消費電力周辺機器の平均消費電流より少ない第１の電流の場合と該平均消費電流以上の第２の電流の場合があり、
前記マイコン部は、前記第１の電流が供給される場合に前記間欠動作の制御を行い、
前記間欠動作では、
スリープ状態時のスリープ時平均消費電流が、前記第１の電流よりも少なく、
アクティブ状態時のアクティブ時平均消費電流が、前記低消費電力周辺機器の前記平均消費電流以上であり、
前記スリープ時平均消費電流と前記アクティブ時平均消費電流の平均消費電流が、前記第１の電流以下であることを特徴とする請求項１に記載の低消費電力周辺機器。
【請求項３】
前記周辺機器は、ＵＳＢ入出力インタフェースを通じて電力供給されている赤外線通信デバイスであり、
前記受信部は、電気/光信号変換を行う赤外線トランシーバーであり、
前記制御部は、前記赤外線トランシーバーを制御するハードウェアロジックを有し、
前記マイコン部は、
前記ＵＳＢ入出力インタフェースと通信を行うＵＳＢトランシーバーと、
前記ＵＳＢトランシーバーを制御するＵＳＢペリフェラルと、
前記ハードウェアロジック及び前記ＵＳＢペリフェラルの制御とデータ解析を行うマイコンと、を有することを特徴とする請求項１又は２に記載の低消費電力周辺機器。
【請求項４】
前記赤外線通信デバイスは、ＩｒＤＡ  Ｃｏｎｔｒｏｌドングルであり、
前記ハードウェアロジックは、ＩｒＤＡ  Ｃｏｎｔｒｏｌ物理層規格に従って前記赤外線トランシーバーを制御することを特徴とする請求項３に記載の低消費電力周辺機器。
【請求項５】
前記マイコン部のみが、常時起動し、
前記マイコンが、前記赤外線トランシーバーと前記ハードウェアロジックを、アクティブ状態とスリープ状態に切り替え制御することを特徴とする請求項３又は４に記載の低消費電力周辺機器。
【請求項６】
独立したタイマを備え、
前記タイマにより前記赤外線通信デバイスを、アクティブ状態とスリープ状態に切り替え制御することを特徴とする請求項３又は４に記載の低消費電力周辺機器。
【発明の詳細な説明】
【０００１】
【発明の属する技術分野】
本発明は赤外線通信機能を有する家電機器、情報機器等の低消費電力化に関する。
【０００２】
【従来の技術】
赤外線通信は、しばしば家電機器や情報機器で遠隔操作したり有線接続の不便さを解消するために被制御機器とリモコンやキーボードなどの制御機器を接続する手段として用いられる。
【０００３】
通常、リモコンなどの遠隔制御機器は、チャンネル変更や音量調整、コマンドの入力などの被制御機器が動作中に提供する機能の操作だけでなく、被制御機器電源の入切の操作も行う。
【０００４】
制御機器への赤外線受信ユニットの組み込みは家電の場合あらかじめ組み込み設計されるが、情報機器の場合は、汎用的に設計される場合が多い。
【０００５】
家電機器や情報機器の遠隔操作、双方向情報交換のために米国の赤外線通信標準化団体ＩｒＤＡ（Ｉｎｆｒａｒｅｄ  Ｄａｔａ  Ａｓｓｏｃｉａｔｉｏｎ） で規格化されたＩｒＤＡ  Ｃｏｎｔｒｏｌは、情報機器への接続または組み込みを行うさい、汎用性や設計の容易さのために、その制御にＵＳＢ（Ｕｎｉｖｅｒｓａｌ  Ｓｅｒｉａｌ  Ｂｕｓ）を利用している。
【０００６】
図５はＵＳＢホストコントローラ内蔵ＰＣと外付けのＩｒＤＡ  Ｃｏｎｔｒｏｌ周辺機器（以下、ＩｒＤＡ  Ｃｏｎｔｒｏｌドングルと呼ぶ）の接続形態を示す。
【０００７】
ＵＳＢホストコントローラ内蔵ＰＣ３００とＩｒＤＡ  Ｃｏｎｔｒｏｌドングル３０２はＵＳＢケーブルで接続される。ユーザーは赤外線でＩｒＤＡ  Ｃｏｎｔｒｏｌドングル３０２と接続されているＩｒＤＡ  Ｃｏｎｔｒｏｌキーボード３０３およびＩｒＤＡ  Ｃｏｎｔｒｏｌマウス３０４でＰＣ３００を制御することができる。
【０００８】
【発明が解決しようとする課題】
近年、制御される情報機器は消費電力節約のため、長時間ユーザーが使用しない場合に自動的またはユーザーの指示によりスリープ状態または電源ＯＦＦモードになるように設計されている。
【０００９】
しかし、パソコンがスリープ状態であっても、ＩｒＤＡ  Ｃｏｎｔｒｏｌキーボードやマウスなどを操作することによってパソコンをスリープ状態から復活できるよう、情報機器側に組み込まれているかまたはＵＳＢケーブルを介して接続されているＩｒＤＡ  Ｃｏｎｔｒｏｌドングルを常時機能させておきたい。
【００１０】
ＩｒＤＡ  Ｃｏｎｔｒｏｌドングルに対する電源供給形態は、次の２通りの方法が考えられる。一つはＡＣアダプタ等を介して直接外部から電源を供給する方法であり、もう一つはＵＳＢケーブルを介して電源を供給する方法である。
【００１１】
ＵＳＢの物理層仕様（Ｒｅｖｉｓｉｏｎ１.１）では、ＵＳＢホストコントローラ動作時はＵＳＢケーブルを通じて最大５００ｍＡの電流が周辺機器に供給される。別途外部電源を設けるよりも、ＵＳＢから供給される電源を使うほうがユーザーがいちいち外部電源を確保したりする必要がないため、使い勝手の面から望ましい。
【００１２】
しかしながら、ＵＳＢはスリープ状態にあるときは、消費電流の節約のため、供給電流が一秒間当たり平均２.５ｍＡまでに減少する（最大待機電流は、1μs 以内であれば １００ｍＡまで許される）。このため、ＩｒＤＡ  Ｃｏｎｔｒｏｌドングルの消費電流が ２.５ｍＡを超える場合、パソコンがスリープ状態にあるときにＩｒＤＡ  Ｃｏｎｔｒｏｌドングルを機能させることはできないという問題点があった。
【００１３】
本発明はこの問題点を解決できる低消費電力システム及び低消費電力周辺機器及び低消費電力ＩｒＤＡ  Ｃｏｎｔｒｏｌ  ドングルを提供することを目的とする。
【００１４】
【課題を解決するための手段】
第１の発明に関わる低消費電力システムは、本体と本体から供給される電源によって動作する周辺機器とで構成される情報システムであって、本体がスリープ状態にあるときに、各周辺機器のすべてまたは一部の機能を間欠動作させることにより、各周辺機器の平均消費電流を本体から供給可能な平均待機電流以下に抑え、本体がスリープ状態のときでも周辺機器が外部からの信号を検出し、さらに検出結果によって本体をアクティブ状態に移行させることを特徴とすることを特徴とする。第２の発明に関わる低消費電力情報システムは、第１の発明に記載の低消費電力情報システムにおいて、前記間欠動作は、所定のサイクルによって行うことを特徴とする。
【００１５】
第３の発明に関わる低消費電力周辺機器は、第１、第２の発明のシステムの周辺機器であって、周辺機器自身の機能の一部またはすべてを間欠動作させることを特徴とする。
【００１６】
第４の発明に関わるＩｒＤＡ  Ｃｏｎｔｒｏｌドングルは、第３の発明の低消費電力周辺機器であって、電気/光信号変換を行う赤外線トランシーバーと、ＩｒＤＡ  Ｃｏｎｔｒｏｌ物理層規格に従って赤外線トランシーバーを制御するハードウェアロジックと、ＵＳＢ入出力インタフェースと、ＵＳＢ入出力インタフェースと通信をおこなうＵＳＢトランシーバーと、ＵＳＢトランシーバーを制御するＵＳＢペリフェラルと、ハードウェアロジック及びＵＳＢペリフェラルの制御とデータ解析をおこなうマイコンとで構成され、ＵＳＢ入出力インタフェースを通じて電力供給されているＩｒＤＡ  Ｃｏｎｔｒｏｌドングルにおいて、ＩｒＤＡ  Ｃｏｎｔｒｏｌドングルを一定間隔で間欠動作させることを特徴とする。
第５の発明に関わるＩｒＤＡ  Ｃｏｎｔｒｏｌドングルは、第４の発明のＩｒＤＡ  Ｃｏｎｔｒｏｌドングルにおいて、前記間欠動作は、本体がスリープ時における前記ＩｒＤＡ  Ｃｏｎｔｒｏｌドングルで消費される平均消費電流が、ＵＳＢインターフェースで供給可能な平均待機電流以下になるように、行うことを特徴とする。
【００１７】
第６の発明に関わるＩｒＤＡ  Ｃｏｎｔｒｏｌドングルは、第４又は第５の発明の低消費電力ＩｒＤＡ  Ｃｏｎｔｒｏｌドングルにおいて、マイコンのみが常時起動し、マイコンが所定周期で赤外線トランシーバーと、ハードウェアロジックを、アクティブ/スリープ状態に制御することを特徴とする。
【００１８】
第７の発明に関わるＩｒＤＡ  Ｃｏｎｔｒｏｌドングルは、第４又は第５の発明の低消費電力ＩｒＤＡ  Ｃｏｎｒｏｌドングルにおいて、独立したタイマを備え、タイマにより所定周期でＩｒＤＡ  Ｃｏｎｔｒｏｌドンルのアクティブ状態／スリープ状態を制御することを特徴とする。
【００１９】
第８の発明に関わるＩｒＤＡＣｏｎｔｒｏｌドングルは、第４乃至第７の発明のいずれかに記載のＩｒＤＡ  Ｃｏｎｔｒｏｌドングルにおいて、本体スリープ時はＩｒＤＡ  Ｃｏｎｔｒｏｌドングルのアクティブ状態／スリープ状態に関わらず、赤外線トランシーバー、ハードウェアロジックの送信部を常時停止させることを特徴とする。
【００２０】
以下本発明の作用を記載する。
【００２１】
第１又は第２の発明により、システムがスリープ状態であっても、周辺機器を間欠動作させることにより、周辺機器を介して外部からシステムにアクセスできることになり、上記問題点を解決する。
【００２２】
第３の発明により、システム全体を変更することなく、周辺機器の改良のみで周辺機器自身を間欠動作させることが可能になり、上記問題点を解決する。
【００２３】
第４、第５、又は第６の発明により、とくにＵＳＢ及びＩｒＤＡ  Ｃｏｎｔｒｏｌを利用したシステムにおける上記問題点を解決する。
【００２４】
第７の発明により、マイコンよりも消費電流の少ないタイマで間欠動作を管理することによりマイコンもスリープさせることができるため、ＩｒＤＡＣｏｎｔｒｏｌ  ドングルのスリープ状態の消費電流を減らすことが可能になり、間欠動作におけるアクティブ状態である時間をより長くとることが可能になる。
【００２５】
第８の発明により、本体がスリープ状態のときに使わない回路を常時スリープ状態にすることによりアクティブ状態のＩｒＤＡ  Ｃｏｎｔｒｏｌドングルの消費電流を減らすことが可能になり、間欠動作におけるアクティブ状態である時間をより長くとることが可能になる。
【００２６】
【発明の実施の形態】
（実施の形態１）
（ＩｒＤＡ  Ｃｏｎｔｒｏｌ制御部の構成）
図１は本発明の実施の形態１の回路構成図である。
【００２７】
一般にＩｒＤＡ  Ｃｏｎｔｒｏｌをはじめとする赤外線通信デバイスは、赤外線トランシーバーとも呼ばれる電気信号-光信号変換用アナログ回路を含むフロントエンド７（以下、ＦＥと略す）と変復調や通信の制御を行う制御部２で構成されている。
【００２８】
制御部２は、ＩｒＤＡ  Ｃｏｎｔｒｏｌの場合、ＦＥ７の制御をおこなうハードウェアロジック４とそれを制御するＵＳＢマイコン部３、メモリ５、ＲＯＭ６などが組み込まれている。
【００２９】
図７はＵＳＢマイコン部の構成を示す。
【００３０】
ＵＳＢ  Ｉ／Ｆとのやり取りはＵＳＢトランシーバー６０１がおこない、その制御はＵＳＢペリフェラル６０２がおこなっている。マイコン６０３はハードウェアロジック４の制御、ＵＳＢペリフェラル６０２の制御及びデータの解析などをおこなう。
【００３１】
この構成の中で、一般にもっとも電力消費が大きいのはＦＥ７であり、ついで制御部２内部のハードウェアロジック４とマイコン６０３が電力を消費する。
【００３２】
ここでは簡単のために、上記３つの回路の消費電流のみを考える。
【００３３】
仮にアクティブ状態のＦＥ７、ハードウェアロジック４（受信時）、 マイコン５の消費電流をそれぞれ、５ｍＡ、１ｍＡ、２ｍＡとするとＩｒＤＡ  Ｃｏｎｔｒｏｌドングル１全体で８ｍＡの電流を消費する。
【００３４】
（間欠動作サイクル）
図６は間欠動作時の電流量の変化を示す。
【００３５】
一秒間あたりの平均電流を２.５ｍＡ以下にするには、アクティブ状態サイクル時間Ｔａの斜線部面積に対してスリープ状態サイクル時間Ｔｓの斜線部の面積が大きくなるよう各サイクル時間を調整する必要がある。
アクティブ時の消費電流をＩａ、スリープ時の消費電流をＩｓとすると、
Ｔａ×（Ｉａ−２.５ｍＡ） ≦ Ｔｓ×（２.５ｍＡ−Ｉｓ） --- （１）
であり、
ＵＳＢの平均待機電流は１秒の周期で規定されているから、本実施の形態では間欠動作サイクルも１秒とする。 従ってスリープ状態サイクル時間Ｔｓは、
Ｔｓ＝ １（ｓ）−Ｔａ --- （２）
である。
【００３６】
（１）式に（２）式を代入して整理すると、
Ｔａ≦（２.５ｍＡ−Ｉｓ）÷（Ｉａ−Ｉｓ）  --- （３）
となる。
【００３７】
従って、本実施の形態ではアクティブ状態の電流値はすでに決まっているので、（３） 式からスリープ状態の電流値が決まれば、アクティブ状態サイクル時間の上限を求めることができ、アクティブ状態サイクル時間を決めれば（２）式によりスリープ状態サイクル時間も決定することができる。
【００３８】
本実施の形態１では、ＵＳＢマイコン部３のみを常時起動しておき、マイコン６０３が一定周期でハードウェアロジック４とＦＥ７をアクティブ/スリープ制御する。
【００３９】
アクティブ／スリープ制御は、制御部２の各回路に対してはクロック１０９の供給を断つことにより制御できる。
【００４０】
ＦＥ７に対してはスリープ制御線１０６により制御する。スリープ１０６がＨｉｇｈのときはＦＥ７はスリープ状態に、ＬｏｗのときはＦＥ７はアクティブ状態になる。
【００４１】
ＩｒＤＡ  Ｃｏｎｔｒｏｌドングルの全回路がアクティブであるときの消費電流は８ｍＡ、マイコン６０３の消費電流は２ｍＡであるから、式（３）から、
Ｔa ≦ ８３ｍｓ
となり、ここでは、アクティブ状態サイクル時間を８０ｍｓとすることにする。よって、スリープ状態サイクル時間は式(２)より、９２０ｍｓとなる。
【００４２】
マイコン６０３はスリープ１０６をＨｉｇｈにすると同時にマイコン６０３以外の制御部２内部回路へのクロック供給を遮断してスリープ状態に入る。スリープ状態で９２０ｍｓ経過した後に、マイコン６０３はスリープ１０６をＬｏｗにすると同時に制御部２内部の各回路へのクロック供給を再開させてアクティブ状態に入る。８０ｍｓの経過後、再度スリープ状態に入り、以後、赤外線信号を受信するか、またはＵＳＢホストコントローラがアクティブ状態になるまで繰り返す。
【００４３】
ＩｒＤＡ  Ｃｏｎｔｒｏｌドングル１がアクティブ状態のときに、ＦＥ７が外部からの光信号１０５を受信すると、光電気変換回路９で電気受信信号１０３に変換されハードウェアロジック４で解析される。
【００４４】
ハードウェアロジック４は、この信号がＩｒＤＡ  Ｃｏｎｔｒｏｌの信号であった場合のみ、ＵＳＢマイコン部３に通知する。通知されたＵＳＢマイコン部３はＵＳＢを介して、本体を起動させる。
【００４５】
本体が起動したのちは、ＩｒＤＡ  Ｃｏｎｔｒｏｌドングル１は間欠動作をやめ、アクティブ状態に戻る。
【００４６】
上記からわかるように、外部からの信号検出はＩｒＤＡ  Ｃｏｎｔｒｏｌドングル１がアクティブ状態のときのみ可能である。
【００４７】
従って、タイミングが合わない場合、ユーザーは何度もＩｒＤＡ  Ｃｏｎｔｒｏｌキーボードやマウスを何度も操作しなければならない。
【００４８】
（実施の形態２）
図２は実施の形態２の回路構成図である。
【００４９】
実施の形態２は実施の形態１の回路にマイコン６０３よりも消費電力の少ないタイマ１２を追加しスリープ状態からの回復をタイマ１２に制御させることにより、マイコン６０３もスリープ状態にする。
【００５０】
マイコン６０３はスリープ状態になるときに、タイマイネーブル１０７をＨｉｇｈにしてタイマ１２を有効にする。
【００５１】
タイマ１２は一定の時間が経過すると、ウェイクアップ１０８をＨｉｇｈにして制御部２を起動させ、さらにハードウェアロジック４はＦＥ７をアクティブ状態にする。
【００５２】
マイコン６０３は起動すると同時にタイマイネーブル１０７をＬｏｗにしてタイマを無効にし、一定時間アクティブ状態を続けたのち、再度タイマを有効にしてスリープ状態に入る。
【００５３】
ＩｒＤＡ  Ｃｏｎｔｒｏｌドングル１がスリープしている時は、ＦＥ７、ハードウェアロジック４に加えマイコン６０３もスリープするため、電流をほとんど消費しない。ここでは簡単のため、ＩｒＤＡ  Ｃｏｎｔｒｏｌドングル１のスリープ状態の電流値は０アンペア（Ａ）とする。
【００５４】
従って （３）式 に代入しアクティブ状態サイクル時間を求めると、
Ｔａ ≦ ３１２.５ｍｓ
となる。
【００５５】
本実施の形態では、アクティブ状態サイクル時間を３００ｍｓとする。
【００５６】
実施の形態１と比較すればわかるとおり、３倍以上の長さのアクティブ状態サイクル時間をとることができる。
【００５７】
このため、ＩｒＤＡ  Ｃｏｎｔｒｏｌドングル１は実施の形態１よりも外部信号を検出しやすくなり、ユーザーの使い勝手は向上する。
【００５８】
（タイマ１２の時定数）
図４は、本実施の形態で使用するタイマ１２の回路構成図である。
【００５９】
本実施の形態ではＲＣローパスフィルタをタイマとして使用している。
【００６０】
タイマイネーブル１０７がＨｉｇｈになるとスイッチ２０２が電源に接続される。すると、ウェイクアップ１０８はＲＣ１次フィルタの時定数で立ちあがりＨｉｇｈになる。
【００６１】
タイマイネーブル１０７がＬｏｗになるとスイッチの接続が解除され、Ｃ（コンデンサ）２０１は放電し初期状態に戻る。
【００６２】
ＲＣ１次ローパスフィルタの立ち上がり時間Ｔは以下の式で求められる。
【００６３】
Ｔ ≒ ２.２ＲＣ  --- （４）
従って、ローパスフィルタの立ち上がり時間Ｔを３００ｍｓとし逆算すると、ＲＣ＝０.１３６となる。
【００６４】
Ｒ（抵抗）２００の値を仮に１００ＫΩとすると、Ｃ２０１の値は１.３６μＦとなる。
【００６５】
（実施の形態３）
図３は実施の形態３の回路構成図である。
【００６６】
実施の形態２の回路において、アクティブ状態の消費電流を減らすために、ＦＥ７の電気-光変換回路８と光-電気変換回路９の電源を独立にし、ＵＳＢスリープ時は電気-光変換回路８をスリープさせる。
【００６７】
同様に、ハードウェアロジック４内部にある送信関連の回路へのクロック供給も遮断する。
【００６８】
ＵＳＢスリープ１１０はこの制御をおこなうための制御線であり、ＨｉｇｈにすることでＦＥ７およびハードウェアロジック４にＵＳＢがスリープ状態にあることを、ＬｏｗでＵＳＢがアクティブ状態であることを通知する。
【００６９】
アクティブ状態の電気-光変換回路８の消費電流を３ｍＡ、ハードウェアロジック４送信部の消費電流を０.５ｍＡとすると、アクティブ状態のときにＩｒＤＡ  Ｃｏｎｔｒｏｌドングル１が消費する電流は４.５ｍＡである。
【００７０】
従って、（３）式から、
Ｔａ ≦ ５５５.６ｍｓ
となる。
【００７１】
ここではアクティブ時間を５５０ｍｓとすると、実施の形態２と比較して１.５倍以上アクティブ状態サイクル時間をとることができる。
【００７２】
このため、ＩｒＤＡ  Ｃｏｎｔｒｏｌドングル１は実施の形態１、２よりも外部信号を検出しやすくなり、ユーザーの使い勝手が向上する。
【００７３】
（実施の形態４）
上記実施の形態１、２、３では周辺機器のアクティブ時の消費電流がシステムの最大待機電流（ここでは１００ｍＡ）を上回らなかったが、仮に周辺機器のアクティブ時の消費電流がシステムの最大待機電流より大きいシステムであっても、周辺機器の電源部にコンデンサを配置することによって、待機時に周辺機器を機能させることができる。間欠動作のスリープ状態の時は電源部のコンデンサに充電させ、アクティブ状態のときは最大待機電流では不足する分の電流をこのコンデンサから供給させることにより、可能になる。
【００７４】
この場合も実施の形態２、３の方法と併用することで、アクティブ状態サイクル時間をより長くとることが可能である。
【００７５】
（実施の形態５）
実施の形態１、２、３はＦＥとハードウェアロジックをともに間欠動作させていたが、ＦＥのみか、またはＦＥとハードウエアロジックの両方をアクティブ状態のときの消費電流が平均待機電流を十分下回るようであれば、ＦＥのみか、またはＦＥとハードウェアロジックの両方を常時アクティブにさせる。
【００７６】
ＦＥのみ常時アクティブ状態にしたときは、ＦＥが受信可能帯域内の赤外線光を検出すると、ＩｒＤＡ  Ｃｏｎｔｒｏｌドングルをアクティブ状態にする。
【００７７】
これに対し、ＦＥとハードウェアロジックを常時アクティブにしている場合は、検出した赤外線光を解析しＩｒＤＡ  Ｃｏｎｔｒｏｌ信号であることを判断したのちにＩｒＤＡ  Ｃｏｎｔｒｏｌドングルをアクティブ状態にする。
【００７８】
これにより、いつでも外部からの赤外線信号を検出することが可能になると同時にサイクル管理が不要になる。また、ＦＥとハードウェアロジックの両方がアクティブ状態のときは ＦＥのみがアクティブ状態のときよりも、誤動作が少なくなる。
【００７９】
（実施の形態６）
実施の形態１、２、３、４、５において、外部赤外線信号を検出したときＩｒＤＡ  Ｃｏｎｔｒｏｌドングルはスリープ状態にある本体をアクティブ状態にするが、本体がアクティブ状態になるまでの間に、ＩｒＤＡ  Ｃｏｎｔｒｏｌドングルの消費電流が平均待機電流２.５ｍＡ 以上になることがある。
【００８０】
この場合、ＩｒＤＡ  Ｃｏｎｔｒｏｌドングル全体をアクティブ状態にするのではなく、本体の制御に必要なＵＳＢマイコンのみをアクティブ状態にし、その他のＩｒＤＡ  Ｃｏｎｔｒｏｌドングル内部回路をスリープ状態にすることにより、平均消費電流を下げることができる。
【００８１】
本体がアクティブ状態になりＩｒＤＡ  Ｃｏｎｔｒｏｌドングルに十分な電流が供給されるようになった後で、ＩｒＤＡ  Ｃｏｎｔｒｏｌドングルを完全にアクティブ状態にする。
【００８２】
これにより、本体がアクティブ状態になるまで間のＩｒＤＡ  Ｃｏｎｔｒｏｌドングル消費電流を ２.５ｍＡ以下にすることができる。
【００８３】
【発明の効果】
第１の発明により、赤外線通信デバイスを搭載した情報システムの消費電力を削減できるだけでなく、本体スリープ時に電力制限を受けている状態でも赤外線通信デバイスを使用することが可能になる。
【００８４】
第２の発明により、システム全体を変更することなく、周辺機器の改良だけで所望の機能を達成できる。
【００８５】
第３の発明により、本体がスリープしている状態でも、他のＩｒＤＡ  Ｃｏｎｔｒｏｌ機器がＩｒＤＡ  Ｃｏｎｔｒｏｌドングルに一定間隔で赤外線接続することが可能になる。
【００８６】
第４の発明により、アクティブ時の時間比率が大きくなり、よりユーザーに快適な環境を与える。
【００８７】
第５の発明により、第３の発明において、マイコンによるサイクル管理が不要になり、かつスリープ時間の短縮が可能になる。
【００８８】
第６の発明により、第３、第４、第５の発明において、より消費電流を削減でき、スリープ時間の短縮が可能になる。
【００８９】
上記発明は、ＩｒＤＡ  ＣｏｎｔｒｏｌまたはＵＳＢのみならず、スリープ時に供給電力が制限されるすべてのシステムにおいて使用が可能である。
【図面の簡単な説明】
【図１】本発明の実施の形態１の回路構成図である。
【図２】本発明の実施の形態２の回路構成図である。
【図３】本発明の実施の形態３の回路構成図である。
【図４】タイマ１２の構成図である。
【図５】ＩｒＤＡ  Ｃｏｎｔｒｏｌドングルの接続である。
【図６】間欠動作時の電流量の変化である。
【図７】ＵＳＢマイコン部３の構成である。
【符号の説明】
１  ＩｒＤＡ  Ｃｏｎｔｒｏｌドングル
２  制御部
３  ＵＳＢマイコン部
４  ハードウェアロジック
５  メモリ
６  ＲＯＭ
７  ＦＥ（フロントエンド）
８  電気−光変換回路
９  光−電気変換回路
１１  ＵＳＢ Ｉ／Ｆ
１２  タイマ
１００  シリアルデータ
１０１  電源ライン
１０２  電気送信信号
１０３  電気受信信号
１０４  光送信信号
１０５  光受信信号
１０６  スリープ
１０７  タイマイネーブル
１０８  ウェイクアップ
１１０  ＵＳＢスリープ
２００  Ｒ（抵抗）
２０１  Ｃ（コンデンサ）
２０２  スイッチ
３００  ＵＳＢホストコントローラ内蔵ＰＣ
３０１  ＵＳＢケーブル
３０２  ＩｒＤＡ  Ｃｏｎｔｒｏｌドングル
３０３  ＩｒＤＡ  Ｃｏｎｔｒｏｌキーボード
３０４  ＩｒＤＡ  Ｃｏｎｔｒｏｌマウス
６０１  ＵＳＢトランシーバー
６０２  ＵＳＢペリフェラル
６０３  マイコン
【図１】
0003792066.tif 000002
【図２】
0003792066.tif 000003
【図３】
0003792066.tif 000004
【図４】
0003792066.tif 000005
【図５】
0003792066.tif 000006
【図６】
0003792066.tif 000007
【図７】
0003792066.tif 000008